(57)【要約】【課題】  低コストに構成でき、メンテナンスに要するコストを削減できる、搬送装置を提供する。【解決手段】  フィルムスキャナ１０に用いられるフィルムキャリア１００は、本体１０２を含む。本体１０２内のソレノイド１３６に電力が供給されている場合、フィルムスキャナ１０の光源１２からの断面線状の光Ｌ１は、ソレノイド１３６に取り付けられる可動ミラー１３８で反射し、拡散レンズ１４２に与えられる。拡散レンズ１４２によって断面線状の光Ｌ１から変更された断面面状の光Ｌ２は、上面１０２ａの導光窓１０６を通過する。ソレノイド１３６に電力が供給されていない場合、フィルムスキャナ１０の光源１２からの断面線状の光Ｌ１は、上面１０２ａのスリット１０８を通過する。【選択図】      図３
2006276438.tif 000002
【特許請求の範囲】
【請求項１】
画像が形成された被露光媒体に光を与えるための光源を有する画像読取装置に用いられる、搬送装置であって、
前記被露光媒体を第１照射位置から第２照射位置に搬送する搬送手段、および
前記光源からの光が前記第１照射位置あるいは前記第２照射位置に与えられるように前記光源からの光の進路を選択的に切り替える導光手段を備える、搬送装置。
【請求項２】
前記第１照射位置に与えられる前記光源からの光は前記被露光媒体の配置状態の調整に利用され、前記第２照射位置に与えられる前記光源からの光は前記画像読取装置での前記画像の読み取りに利用される、請求項１に記載の搬送装置。
【請求項３】
前記第１照射位置と前記第２照射位置とで前記被露光媒体の受光面積が異なるように前記光源からの光の進行方向と直交する方向の前記光源からの光の断面形状を変更する変更手段をさらに備える、請求項１または２に記載の搬送装置。
【請求項４】
前記光源からの光は断面線状の光であり、前記第１照射位置には前記変更手段によって前記断面線状の光から変更された断面面状の光が与えられ、前記第２照射位置には前記断面線状の光が与えられる、請求項３に記載の搬送装置。
【請求項５】
前記光源からの光は断面線状の光であり、前記第１照射位置には前記変更手段によって前記断面線状の光から変更された断面点状の光が与えられ、前記第２照射位置には前記断面線状の光が与えられる、請求項３に記載の搬送装置。
【発明の詳細な説明】
【技術分野】
【０００１】
この発明は搬送装置に関し、より特定的には、画像が形成された被露光媒体に光を与えるための光源を有する画像読取装置に用いられる搬送装置に関する。
【背景技術】
【０００２】
従来、たとえば特許文献１に開示されているように、被露光媒体の一例である写真用のフィルムに形成された画像を読み取るフィルムスキャナでは、フィルムキャリアによってフィルムを搬送することが知られている。
【０００３】
たとえば、図７（ａ）に示すフィルムキャリア１ａは、フィルムを保持するアタッチメント２を交換することによって１３５フィルムや２４０フィルム等の種類の異なるフィルムを搬送可能なフィルムキャリアである。フィルムキャリア１ａでは、本体３ａに設けられる光源（バックライト）４ａ上に配置されたフィルムに光源４ａから断面面状の光が与えられる。そして、オペレータによってフィルムの位置ずれや傾きの有無が視認され、必要であればフィルムの位置ずれや傾きが修正される。その後、アタッチメント２が載置される移動テーブル５ａが搬送方向に移動し、フィルムスキャナの光源からの光が与えられる位置にフィルムが搬送される。
【０００４】
また、図７（ｂ）に示すフィルムキャリア１ｂは、フィルムをマウントに収容したスライドフィルムを搬送するためのフィルムキャリアである。スライドフィルムから画像を読み取る場合、マウントにおけるフィルムの上下方向の位置のばらつきのためにフィルムからフィルムスキャナのレンズまでの距離に誤差が生じるおそれがあり、ひいてはフィルムスキャナのＣＣＤセンサ上にピントが合わないおそれがある。そこで、フィルムキャリア１ｂでは、本体３ｂに設けられる光源４ｂからの断面点状の光をフィルムで反射させ受光センサ６に与えることによってフィルムの上下方向の位置を検出し、必要であれば移動テーブル５ｂ上のスライドフィルムの上下の位置を調整（フォーカス調整）する。その後、移動テーブル５ｂが搬送方向に移動し、フィルムスキャナの光源からの光が与えられる位置にフィルムが搬送される。
【特許文献１】特開平１１−３１７８５３号
【発明の開示】
【発明が解決しようとする課題】
【０００５】
しかし、フィルムキャリア１ａでは、フィルムの位置ずれや傾きをオペレータに確認させるための光源４ａが設けられることによって、そのコストが高くなってしまうという問題があった。また、フィルムキャリア１ａでは、球切れによる光源４ａの交換等、メンテナンスに必要なコストが嵩むという問題があった。フォーカス調整を行うための光源４ｂが設けられるフィルムキャリア１ｂについても同様である。
それゆえに、この発明の主たる目的は、低コストに構成でき、メンテナンスに要するコストを削減できる、搬送装置を提供することである。
【課題を解決するための手段】
【０００６】
上述の目的を達成するために、請求項１に記載の搬送装置は、画像が形成された被露光媒体に光を与えるための光源を有する画像読取装置に用いられる、搬送装置であって、被露光媒体を第１照射位置から第２照射位置に搬送する搬送手段、および光源からの光が第１照射位置あるいは第２照射位置に与えられるように光源からの光の進路を選択的に切り替える導光手段を備える。
【０００７】
請求項２に記載の搬送装置は、請求項１に記載の搬送装置において、第１照射位置に与えられる光源からの光は被露光媒体の配置状態の調整に利用され、第２照射位置に与えられる光源からの光は画像読取装置での画像の読み取りに利用されることを特徴とする。
【０００８】
請求項３に記載の搬送装置は、請求項１または２に記載の搬送装置において、第１照射位置と第２照射位置とで被露光媒体の受光面積が異なるように光源からの光の進行方向と直交する方向の光源からの光の断面形状を変更する変更手段をさらに備えることを特徴とする。
【０００９】
請求項４に記載の搬送装置は、請求項３に記載の搬送装置において、光源からの光は断面線状の光であり、第１照射位置には変更手段によって断面線状の光から変更された断面面状の光が与えられ、第２照射位置には断面線状の光が与えられることを特徴とする。
【００１０】
請求項５に記載の搬送装置は、請求項３に記載の搬送装置において、光源からの光は断面線状の光であり、第１照射位置には変更手段によって断面線状の光から変更された断面点状の光が与えられ、第２照射位置には断面線状の光が与えられることを特徴とする。
【００１１】
請求項１に記載の搬送装置では、導光手段によって画像読取装置の光源からの光の進路が選択的に切り替えられ、画像読取装置の光源からの光が第１照射位置あるいは第２照射位置に与えられる。これによって、画像読取装置の光源からの光を第１照射位置で被露光媒体に与え、当該被露光媒体に第２照射位置においても画像読取装置の光源からの光を与えることができる。このように、画像読取装置の光源からの光を第１照射位置と第２照射位置とで利用することによって、搬送装置に光源を設ける必要がなく、搬送装置を低コストに構成でき、メンテナンスに要するコストを削減できる。
【００１２】
たとえば請求項２に記載するように、第１照射位置に与えられる光源からの光は位置ずれや傾きの確認やフォーカス調整等の被露光媒体の配置状態の調整に利用され、第２照射位置に与えられる光源からの光は画像読取装置での被露光媒体の画像の読み取りに利用される。
【００１３】
請求項３に記載の搬送装置では、第１照射位置と第２照射位置とで被露光媒体の受光面積が異なるように変更手段が光源からの光の断面形状を変更することによって、第１照射位置と第２照射位置とでそれぞれ所望の光を被露光媒体に与えることができる。
【００１４】
たとえば、請求項４に記載するように、第１照射位置には変更手段によって断面線状の光から変更された断面面状の光が与えられ、第２照射位置には断面線状の光が与えられる。このように第１照射位置に断面面状の光を与えることによって、第１照射位置に与えられる光を被露光媒体の位置ずれや傾きの確認に利用する場合に、オペレータの確認作業が容易になる。また、このように第２照射位置に断面線状の光を与えることによって、第２照射位置に与えられる光を画像読取装置での画像の読み取りに利用する場合に、面状の光電変換素子よりも安価な線状の光電変換素子を用いて効率よく光電変換することができる。
【００１５】
また、たとえば請求項５に記載に記載するように、第１照射位置には変更手段によって断面線状の光から変更された断面点状の光が与えられ、第２照射位置には断面線状の光が与えられる。このように第１照射位置に断面点状の光を与えることによって、第１照射位置に与えられる光をフォーカス調整に利用する場合に、第１照射位置に配置される被露光媒体からの反射光を受光センサが精度よく検出でき、フォーカス調整の精度を向上できる。また、このように第２照射位置に断面線状の光を与えることによって、第２照射位置に与えられる光を画像読取装置での画像の読み取りに利用する場合に、面状の光電変換素子よりも安価な線状の光電変換素子を用いて効率よく光電変換することができる。
【発明の効果】
【００１６】
この発明によれば、低コストに構成でき、メンテナンスに要するコストを削減できる、搬送装置が得られる。
【発明を実施するための最良の形態】
【００１７】
以下、図面を参照して、この発明の実施の形態について説明する。
ここでは、画像読取装置の一例であるフィルムスキャナ１０にこの発明の一実施形態のフィルムキャリア１００を用いる場合について説明する。
【００１８】
図１を参照して、フィルムスキャナ１０は、その進行方向と直交する方向の断面形状が線状である光（以下、単に断面線状の光という）Ｌ１を発する光源１２、光源１２の上方に配置され光源１２からの断面線状の光Ｌ１が与えられるスキャナカメラユニット１４、およびフィルムスキャナ１０の各構成要素を制御するコントローラ１６を備える。
【００１９】
フィルムスキャナ１０は、被露光媒体の一例である写真用のフィルムＦを搬送するフィルムキャリア１００をさらに備える。フィルムキャリア１００は、フィルムスキャナ１０において光源１２とスキャナカメラユニット１４との間に着脱可能に配置される。図２および図３を参照して、まず、フィルムキャリア１００について説明する。
【００２０】
搬送装置であるフィルムキャリア１００は、フィルムＦを保持するアタッチメント１２０（後述）を交換することによって、１３５フィルム、２４０（ＡＰＳ）フィルムあるいは１２０（ブローニー）フィルム等の種類（サイズ）の異なるフィルムＦを搬送可能なマルチフィルムキャリア（ＭＦＣ）である。
【００２１】
フィルムキャリア１００は、中空略立方体状の本体１０２と本体１０２の上面１０２ａを搬送方向（矢印Ｘ方向）に移動する移動テーブル１０４とを含む。
【００２２】
図２に示すように、本体１０２の上面１０２ａには、フィルムＦの画像形成面Ｆａよりも大きな導光窓１０６と上面１０２ａを貫通して走査方向（矢印Ｙ方向）に延びるスリット１０８とが形成される。導光窓１０６とスリット１０８とは、本体１０２の後面１０２ｂ側と本体１０２の前面１０２ｃ側とに離間するように配置される。この実施形態では、導光窓１０６の上方がフィルムＦの配置状態の調整位置である第１照射位置に相当し、スリット１０８の上方がフィルムＦに形成された画像の読み取り位置である第２照射位置に相当する。
【００２３】
図３（ａ）および（ｂ）に示すように、本体１０２の底面１０２ｄには、上面１０２ａのスリット１０８と同様のスリット１０９が形成される。本体１０２においてスリット１０８と１０９とは、上下方向（矢印Ｚ方向）並ぶように配置される。
【００２４】
また、図２に示すように、本体１０２の上面１０２ａには、それぞれ矢印Ｘ方向に延びるレール１１０ａと１１０ｂとが導光窓１０６およびスリット１０８を挟むように矢印Ｙ方向に離間して設けられる。さらに、本体１０２の上面１０２ａには、レール１１０ｂと導光窓１０６およびスリット１０８との間かつレール１１０ｂ近傍に、レール１１０ｂに沿って矢印Ｘ方向に延びるスライド孔１１２が形成される。
【００２５】
移動テーブル１０４は、レール１１０ａ側側面に設けられレール１１０ａを摺動するスライダ１１４とレール１１０ｂ側側面に設けられレール１１０ｂを摺動するスライダ１１６とを有し、レール１１０ａと１１０ｂとを跨ぐように配置される。移動テーブル１０４は、スライダ１１４と１１６とがそれぞれレール１１０ａと１１０ｂとを摺動することによって、導光窓１０６上からスリット１０８上にあるいはスリット１０８上から導光窓１０６上に移動する。スライダ１１６は、レール１１０ｂを摺動するスライド部１１６ａとスライド孔１１２から本体１０２内に突入する突入部１１６ｂとを含む。突入部１１６ｂの下端近傍には矢印Ｘ方向に貫通するねじ孔が形成される。
【００２６】
また、図３（ａ）および（ｂ）に示すように、移動テーブル１０４の中央部には上面１０２ａの導光窓１０６に対応する導光窓１１８が形成され、移動テーブル１０４の導光窓１１８の上方にはフィルムＦを保持するアタッチメント１２０が着脱可能に配置される。アタッチメント１２０は、枠状の上部１２２ａと下部１２２ｂとを含み、上部１２２ａと下部１２２ｂとでフィルムＦの周縁を挟むことによってフィルムＦを保持する。
【００２７】
本体１０２内には、矢印Ｘ方向に延びて突入部１１６ｂのねじ孔に螺挿されるねじ軸１２４とステッピングモータ等である搬送用モータ１２６とが配置される。ねじ軸１２４の一方端は本体１０２内で前面１０２ｃに設けられる軸受け１２８によって回転可能に支持され、ねじ軸１２４の他方端にはプーリ１３０が取り付けられる。ねじ軸１２４に取り付けられるプーリ１３０は、搬送用モータ１２６の回転軸に取り付けられるプーリ１３２にベルト１３４によって連結される。
【００２８】
搬送用モータ１２６は、その回転軸を回転させることによって、ベルト１３４を介して連結されるねじ軸１２４を回転させる。ねじ軸１２４の回転に伴って、ねじ軸１２４が螺挿されるスライダ１１６が矢印Ｘ方向に移動し、移動テーブル１０４が矢印Ｘ方向に移動する。つまり、アタッチメント１２０に保持されるフィルムＦが矢印Ｘ方向に搬送される。搬送用モータ１２６の回転軸の回転方向（時計回りあるいは反時計回り）を変更することによって、フィルムＦを矢印Ｘ方向前面１０２ｃ側および矢印Ｘ方向後面１０２ｂ側に搬送できることはいうまでもない。この実施形態では、移動テーブル１０４、レール１１０ａ，１１０ｂ、ねじ軸１２４、および搬送用モータ１２６によって搬送手段が構成される。
【００２９】
さらに、図３（ａ）および（ｂ）に示すように、本体１０２内には、ソレノイド１３６、可動ミラー１３８、ミラー１４０および拡散レンズ１４２が設けられる。
【００３０】
ソレノイド１３６は、電力の供給に伴ってその回転軸１３６ａを所定の角度で回転させるロータリーソレノイドである。可動ミラー１３８は、ソレノイド１３６の回転軸１３６ａに回動可能に取り付けられ、ソレノイド１３６に電力が供給されている状態｛図３（ａ）に示す状態｝で下方からみてスリット１０８を塞ぐように配置される。また、ミラー１４０は導光窓１０６の下方に配置され、拡散レンズ１４２は可動ミラー１３８とミラー１４０との間に配置される。この実施形態では、ソレノイド１３６、可動ミラー１３８およびミラー１４０によって導光手段が構成され、拡散レンズ１４２が変更手段に相当する。
【００３１】
ソレノイド１３６に電力が供給されている状態｛図３（ａ）に示す状態｝では、スリット１０９を通過した光源１２（図１参照）からの断面線状の光Ｌ１が、可動ミラー１３８で反射し、拡散レンズ１４２に与えられる。断面線状の光Ｌ１は、拡散レンズ１４２を透過することによって、その進行方向と直交する方向の断面形状が面状である光（以下、単に断面面状の光という）Ｌ２に変更される。拡散レンズ１４２によって断面線状の光Ｌ１から変更された断面面状の光Ｌ２は、ミラー１４０で反射し、上面１０２ａの導光窓１０６を通過し、導光窓１０６の上方に与えられる。
【００３２】
一方、ソレノイド１３６に電力が供給されていない状態｛図３（ｂ）に示す状態｝では、スリット１０９を通過した光源１２からの断面線状の光Ｌ１が、スリット１０８を通過し、スリット１０８の上方に与えられる。
【００３３】
図１に戻って、光源１２は、発光体であるＬＥＤ（Light Emitting Diode）素子を矢印Ｙ方向（図２参照）に複数並べることによって構成され、フィルムキャリア１００のスリット１０９に向けて断面線状の光Ｌ１を発する。
【００３４】
スキャナカメラユニット１４は、フィルムＦを透過した断面線状の光Ｌ１を結像するためのレンズユニット１８とレンズユニット１８によって結像された断面線状の光Ｌ１を電気信号に変換する光電変換ユニット２０とを含む。
【００３５】
光電変換ユニット２０は、ラインＣＣＤ（Charge Coupled Devices）センサとＡ／Ｄ変換器とを有する。ラインＣＣＤセンサは、断面線状の光Ｌ１（線状の像）を矢印Ｙ方向（図２参照）に走査することによって断面線状の光Ｙ１をアナログデータとして取得する（読み取る）。Ａ／Ｄ変換器は、ラインＣＣＤセンサによって読み取ったアナログデータをデジタルデータに変換する。光電変換ユニット２０からのデジタルデータはコントローラ１６に入力される。
【００３６】
断面線状の光Ｌ１を光電変換ユニット２０に与えることによって、エリアＣＣＤセンサよりも安価なラインＣＣＤセンサに効率よく光電変換させることができ、エリアＣＣＤセンサを用いる場合に比べてフィルムスキャナ１０を低コストに構成できる。
コントローラ１６は、ＣＰＵ１６ａ、ＲＯＭ１６ｂ、ＲＡＭ１６ｃおよびハードディスクドライブ（ＨＤＤ：ハードディスクを含む）１６ｄを含む。
【００３７】
ＣＰＵ１６ａは、ＲＯＭ１６ｂやＨＤＤ１６ｄ等に格納される各種プログラムを実行し、フィルムスキャナ１０およびフィルムキャリア１００の各構成要素に指示を与え、それらの動作を制御する。
【００３８】
ＲＯＭ１６ｂには起動用プログラム等が格納され、起動用プログラムはフィルムスキャナ１０の電源投入時にＣＰＵ１６ａによって実行される。これによって、ＨＤＤ１６ｄに格納されているオペレーティングシステム（ＯＳ）等のプログラムがＲＡＭ１６ｃにロードされ、各種の処理や制御が実行可能となる。
【００３９】
ＲＡＭ１６ｃには、フィルムスキャナ１０およびフィルムキャリア１００を制御する制御用プログラム等が展開される。ＲＡＭ１６ｃは、各種プログラムによる処理結果、処理のための一時データ、表示用データ（テキストデータ、画像データ等）等を保持し、ＣＰＵ１６ａの作業領域として使用される。
【００４０】
ＨＤＤ１６ｄは、ＣＰＵ１６ａの指示に従って、プログラム、制御用データ、表示用データ等を、ハードディスクから読み出しまたハードディスクに対して書き込む。ＨＤＤ１６ｄには、たとえば、光電変換ユニット２０から出力されたデジタルデータが、フィルムＦの画像形成面Ｆａに形成される画像（コマ画像）に対応する画像データとして格納される。
【００４１】
また、コントローラ１６には、ＣＲＴモニタ等の表示部２２が接続される。表示部２２には、たとえば、読み取った画像データに基づく画像形成面Ｆａの画像が表示される。さらに、コントローラ１６にはキーボードやマウス等の入力部２４が接続され、入力部２４から種々の設定やデータ入力等が行われる。
【００４２】
ついで、フィルムＦの画像形成面Ｆａに形成される画像をフィルムスキャナ１０で読み取る際のフィルムキャリア１００の動作について説明する。ここでは、読み取りの開始前に、移動テーブル１０４が導光窓１０６の上方に配置され、ソレノイド１３６には電力が供給されていないものとする。
【００４３】
まず、ソレノイド１３６に電力が供給されることによって図３（ａ）に示す位置に可動ミラー１３８が回動し、光源１２からの上方向（矢印Ｚ方向の一方向）に向かう断面線状の光Ｌ１が、可動ミラー１３８で反射し、拡散レンズ１４２に与えられる。つまり、スリット１０８の上方から導光窓１０６の上方へと断面線状の光Ｌ１の進路が切り替えられる。そして、拡散レンズ１４２によって断面線状の光Ｌ１から変更された断面面状の光Ｌ２が、ミラー１４０で反射し、導光窓１０６の上方に配置されるフィルムＦに与えられる。
【００４４】
つづいて、オペレータによってフィルムＦの位置ずれや傾きの有無が視認される。導光窓１０６の上方には断面面状の光Ｌ２が与えられるので、オペレータはフィルムＦの位置ずれや傾きを容易に確認できる。確認の結果、必要であれば、アタッチメント１２０へのフィルムＦの取り付け状態や移動テーブル１０４へのアタッチメント１２０の取り付け状態が変更され、フィルムＦの位置ずれや傾きが修正される。
【００４５】
その後、搬送用モータ１２６の駆動に伴って、移動テーブル１０４の矢印Ｘ方向前面１０２ｃ側への移動が開始され、フィルムＦの搬送が開始される。つづいて、ソレノイド１３６への電力の供給が停止されることによって可動ミラー１３８が図３（ｂ）に示す位置に回動し、拡散レンズ１４２に向けられていた断面線状の光Ｌ１がスリット１０８に向かう。つまり、導光窓１０６の上方からスリット１０８の上方へと断面線状の光Ｌ１の進路が切り替えられる。そして、断面線状の光Ｌ１がスリット１０８の上方を搬送されるフィルムＦに与えられ、フィルムＦを透過した断面線状の光Ｌ１がスキャナカメラユニット１４に与えられる。
【００４６】
このようなフィルムキャリア１００によれば、光源１２からの断面線状の光Ｌ１を、断面面状の光Ｌ２に変更してフィルムＦの位置ずれや傾きの確認に利用でき、かつフィルムＦの画像の読み取りに利用できる。したがって、フィルムキャリア１００に光源を設ける必要がなく、低コストに構成でき、メンテナンスに要するコストを削減できる。
【００４７】
ついで、図４および図５を参照して、この発明の他の実施形態のフィルムキャリア１００ａについて説明する。
フィルムキャリア１００ａは、スライドフィルムＳＦを搬送するためのマニュアルマウントキャリア（ＭＭＣ）である。フィルムキャリア１００ａでは、スライドフィルムＳＦに用いられるマウントＭにおけるフィルムＦの矢印Ｚ方向の位置のばらつきによって生じるラインＣＣＤセンサ上でのピントのずれを解消するために、スライドフィルムＳＦの矢印Ｚ方向の位置を調整するフォーカス調整が行われる。スライドフィルムＳＦは、リバーサルフィルム（ポジフィルム）等であるフィルムＦをマウントＭに収容することによって構成される。マウントＭは、枠状の上部Ｍ１と下部Ｍ２とからなり、上部Ｍ１と下部Ｍ２とでフィルムＦの周縁を挟むことによってフィルムＦを保持する｛図５（ａ）および（ｂ）参照｝。
【００４８】
上述のフィルムキャリア１００と同様に、フィルムキャリア１００ａは、フィルムスキャナ１０において光源１２とスキャナカメラユニット１４との間に配置される（図１参照）。フィルムキャリア１００ａにおいてフィルムキャリア１００と同様に構成される部分については、フィルムキャリア１００と同一の符号を付し、重複するその説明を省略する。
【００４９】
図４に示すように、フィルムキャリア１００ａは、スライダ１１４および１１６を有する移動テーブル１５０を含む。
【００５０】
図５（ａ）および（ｂ）に示すように、移動テーブル１５０の中央部に形成される導光窓１５２の上方には、スライドフィルムＳＦを支持する支持部１５４が配置される。支持部１５４の中央部にはスライドフィルムＳＦの画像形成面Ｆａに対応する導光窓１５６が形成される。
【００５１】
また、移動テーブル１５０上にはボールねじ等によって支持部１５４を上昇あるいは下降させるための昇降部１５８が設けられる。昇降部１５８は、昇降部１５８に取り付けられる調整用モータ１６０によって駆動される。
【００５２】
本体１０２内には、ソレノイド１３６、可動ミラー１３８、ミラー１６２、集光レンズ１６４および検出ユニット１６６が設けられる。ミラー１６２は可動ミラー１３８よりも後面１０２ｂ側に配置され、集光レンズ１６４は可動ミラー１３８とミラー１６２との間に配置される。また、検出ユニット１６６はミラー１６２よりも後面１０２ｂ側に配置される。この実施形態では、ソレノイド１３６、可動ミラー１３８およびミラー１６２によって導光手段が構成され、集光レンズ１６４が変更手段に相当する。
【００５３】
ソレノイド１３６に電力が供給されている状態｛図５（ａ）に示す状態｝では、スリット１０９を通過した光源１２（図１参照）からの断面線状の光Ｌ１が、可動ミラー１３８で反射し、集光レンズ１６４に与えられる。断面線状の光Ｌ１は、集光レンズ１６４を透過することによって、その進行方向と直交する方向の断面形状が点状である光（以下、単に断面点状の光という）Ｌ３に変更される。集光レンズ１６４によって断面線状の光Ｌ１から変更された断面点状の光Ｌ３は、ミラー１６２で反射し、導光窓１０６の上方に配置されるフィルムＦに与えられる。フィルムＦに与えられた断面点状の光Ｌ３はフィルムＦで反射し、検出ユニット１６６に与えられる。
【００５４】
ここで図６をも参照して、検出ユニット１６６には、フィルムＦに与えられた断面点状の光Ｌ３のうちフィルムＦで反射する赤外線（赤外光：図６においては符号Ｌ３ａを付す）が与えられる。検出ユニット１６６は、赤外光のみを透過させるフィルタ１６８および赤外光を検出する受光センサ１７０を含む。
【００５５】
赤外光Ｌ３ａの受光センサ１７０の受光面１７０ａへの入射位置は、フィルムＦの矢印Ｚ方向の位置に応じて異なる。具体的に、適切な位置（ラインＣＣＤセンサ上でピントが合う位置）Ｐ１にフィルムＦが配置されている場合には、受光面１７０ａの中央に赤外光Ｌ３ａが入射する。位置Ｐ１よりも上方向にずれた位置Ｐ２にフィルムＦが配置されている場合には、受光面１７０ａの中央よりも前面１０２ｃ側に赤外光Ｌ３ａが入射する。また、位置Ｐ１よりも下方向（矢印Ｚ方向の一方向）にずれた位置Ｐ３にフィルムＦが配置されている場合には、受光面１７０ａの中央よりも後面１０２ｂ側に赤外光Ｌ３ａが入射する。このように、受光センサ１７０は、受光面１７０ａに入射する赤外光Ｌ３ａの位置に応じてフィルムＦの矢印Ｚ方向の位置を検出する。
【００５６】
一方、ソレノイド１３６に電力が供給されていない状態｛図５（ｂ）に示す状態｝では、スリット１０９を通過した光源１２からの断面線状の光Ｌ１が、スリット１０８を通過し、スリット１０８の上方に与えられる。
【００５７】
ついで、フィルムＦの画像形成面Ｆａに形成される画像をフィルムスキャナ１０で読み取る際のフィルムキャリア１００ａの動作について説明する。ここでは、読み取りの開始前に、移動テーブル１５０が導光窓１０６の上方に配置され、ソレノイド１３６には電力が供給されていないものとする。
【００５８】
まず、ソレノイド１３６に電力が供給されることによって図５（ａ）に示す位置に可動ミラー１３８が回動し、光源１２からの上方に向かう断面線状の光Ｌ１が、可動ミラー１３８で反射し、集光レンズ１６４に与えられる。つまり、スリット１０８の上方から導光窓１０６の上方へと断面線状の光Ｌ１の進路が切り替えられる。そして、集光レンズ１６４によって断面線状の光Ｌ１から変更された断面点状の光Ｌ３が、ミラー１６２で反射し、導光窓１０６の上方に配置されるフィルムＦに与えられる。
【００５９】
フィルムＦに与えられた断面点状の光Ｌ３のうちフィルムＦで反射した赤外光Ｌ３ａ（図６参照）は、検出ユニット１６６に与えられ、フィルムＦの矢印Ｚ方向の位置が検出される。そして、必要であれば、調整用モータ１６０が駆動され、昇降部１５８によって支持部１５４が上昇あるいは下降され、フィルムＦが位置Ｐ１（図６参照）に配置される。つまり、フィルムＦの矢印Ｚ方向の位置の検出結果に応じて、フォーカス調整が行われる。断面点状の光Ｌ３を与えることによって、受光センサ１７０が受光面１７０ａにおける赤外光Ｌ３ａの入射位置を精度よく検出でき、フィルムＦの矢印Ｚ方向の位置を精度よく検出できるので、フォーカス調整の精度を向上できる。
【００６０】
その後、搬送用モータ１２６の駆動に伴って、移動テーブル１５０の矢印Ｘ方向前面１０２ｃ側への移動が開始され、フィルムＦの搬送が開始される。つづいて、ソレノイド１３６への電力の供給が停止されることによって可動ミラー１３８が図５（ｂ）に示す位置に回動し、集光レンズ１６４に向けられていた断面線状の光Ｌ１がスリット１０８に向かう。つまり、導光窓１０６の上方からスリット１０８の上方へと断面線状の光Ｌ１の進路が切り替えられる。そして、スリット１０８の上方を搬送されるフィルムＦに与えられ、フィルムＦを透過した断面線状の光Ｌ１がスキャナカメラユニット１４に与えられる。
【００６１】
このようなフィルムキャリア１００ａによれば、光源１２からの断面線状の光Ｌ１を、断面点状の光Ｌ３に変更してフォーカス調整に利用でき、かつフィルムＦの画像の読み取りに利用できる。したがって、フィルムキャリア１００ａに光源を設ける必要がなく、低コストに構成でき、メンテナンスに要するコストを削減できる。
【００６２】
なお、上述の実施形態では、ソレノイド１３６、可動ミラー１３８およびミラー１４０（１６２）によって導光手段を構成し、変更手段として拡散レンズ１４２（集光レンズ１６４）を用いる場合について説明したが、導光手段および変更手段はこれに限定されない。たとえば光ファイバーを用いて導光手段および変更手段を構成するようにしてもよい。この場合、導光窓１０６の上方に光を与える際には光ファイバーの一端と他端とをそれぞれスリット１０９の上方と導光窓１０６の下方とに配置し、スリット１０８の上方に光を与える際にはスリット１０９からスリット１０８へと向かう光を遮らないように光ファイバーを移動させればよい。また、この場合、導光窓１０６の上方に光を与える際に光源１２からの断面線状の光Ｌ１を断面面状の光Ｌ２あるいは断面点状の光Ｌ３に変更できるように、一端側と他端側とでその断面積が異なる光ファイバーを用いればよい。
【００６３】
また、この発明の搬送装置によって搬送される被露光媒体は写真用のフィルムに限定されない。たとえば、被露光媒体としてプラスチックフィルムを搬送するようにしてもよい。
【図面の簡単な説明】
【００６４】
【図１】この発明に係るフィルムキャリアが用いられるフィルムスキャナを示すブロック図である。
【図２】この発明に係るフィルムキャリアの一例を示す平面図解図である。
【図３】図２のフィルムキャリアの断面図解図であり、（ａ）はフィルムの位置ずれや傾きを確認する際の可動ミラーの配置状態を示し、（ｂ）はフィルムに形成される画像を読み取る際の可動ミラーの配置状態を示す。
【図４】フィルムキャリアの他の例を示す平面図解図である。
【図５】図４のフィルムキャリアの断面図解図であり、（ａ）はフォーカス調整を行う際の可動ミラーの配置状態を示し、（ｂ）はフィルムに形成される画像を読み取る際の可動ミラーの配置状態を示す。
【図６】フィルムの位置に応じた受光センサへの光の入射位置を示す図解図である。
【図７】従来技術のフィルムキャリアを示す断面図解図であり、（ａ）はフィルムの位置ずれや傾きを確認するための光源を有するフィルムキャリアを示し、（ｂ）はフォーカス調整を行うための光源を有するフィルムキャリアを示す。
【符号の説明】
【００６５】
１０      フィルムスキャナ
１２      光源ユニット
１００，１００ａ      フィルムキャリア
１０４，１５０      移動テーブル
１０６，１１８，１５２，１５６      導光窓
１０８，１０９      スリット
１１０ａ，１１０ｂ      レール
１２４      ねじ軸
１２６      搬送用モータ
１３６      ソレノイド
１３８      可動ミラー
１４０，１６２      ミラー
１４２      拡散レンズ
１６４      集光レンズ
Ｆ      フィルム
ＳＦ      スライドフィルム
【図１】
2006276438.tif 000003
【図２】
2006276438.tif 000004
【図３】
2006276438.tif 000005
【図４】
2006276438.tif 000006
【図５】
2006276438.tif 000007
【図６】
2006276438.tif 000008
【図７】
2006276438.tif 000009